(57)【特許請求の範囲】
【請求項１】
空気調和機据付面に対しボルトにより固定する係合部材を有す空気調和機において、空気調和機本体により折り重なり重複する空気調和機据付面を形成し、前記係合部材を前記空調機据付面に固定したことを特徴とする空気調和機の係合装置。
【請求項２】
長穴を形成し、この長穴と外周部とを吊りボルトの径より大なる寸法の切り欠きで連通し、ボルトに設けたナットで固定するナット受け部を設け、吊りボルトに空気調和機本体を固定する係合部材を有す空気調和機において、空気調和機本体を一体に成形し、前記係合部材を保持する空調機本体側面に、他の側面より折り重なる折り曲げ面を形成させ、この重複する折り曲げ面に、係合部材を固定するように構成したことを特徴とする空気調和機の係合装置。
【請求項３】
前記の一体に成形された空気調和機本体の係合部材を保持する本体側面に、他の側面より折り重なる折り曲げ面を本体側面の外側に重なるように形成させ、この重複する折り曲げ面に、係合部材を固定するように構成したことを特徴とする請求項２記載の空気調和機の係合装置。
【請求項４】
前記の一体に成形された空気調和機本体の係合部材を保持する本体側面に、他の側面より折り重なる折り曲げ面を本体側面の内側に重なるように形成させ、この重複する折り曲げ面に、係合部材を固定するように構成したことを特徴とする請求項２記載の空気調和機の係合装置。
【請求項５】
前記長穴を形成し、この長穴と外周部とを吊りボルトの径より大なる寸法の切り欠きで連通し、吊りボルトに設けたナットで固定するナット受け部とこのナット受け部の端部に折り返し部を設けた係合部材において、空気調和機本体側に逆勝手に折り曲げられた本体取付部を有する構成にした係合部材を特徴とする請求項２記載の空気調和機の係合装置。
【請求項６】
前記の一体に成形された空気調和機本体の係合部材を保持する本体側面に、他の側面より折り重なる折り曲げ面を本体側面に重なるように形成させ、この重複する折り曲げ面に、絞り加工を施した構成にしたことを特徴とする請求項２記載の空気調和機の係合装置。
【請求項７】
前記の一体に成形された空気調和機本体の係合部材を保持する本体側面に、他の側面より折り重なる折り曲げ面を本体側面に重なるように形成させ、この重複する折り曲げ面に、絞り加工を施した構成にし、前記重複する折り曲げ面の一方の絞り加工面が他方の絞り加工面を包含するように大きくしたものであることを特徴とする請求項６記載の空気調和機の係合装置。
【請求項８】
前記係合部材を空気調和機本体の内側から挿入し空気調和機本体に固定することを特徴とする請求項２記載の空気調和機の係合装置。
【請求項９】
前記係合部材を空気調和機本体の内側から挿入し空気調和機本体に固定し、係合部材用穴の大きさを一方が他方を包含する以上とすることを特徴とする請求項８記載の空気調和機の係合装置。
【請求項１０】
前記係合部材を空気調和機本体の外側から空気調和機本体に固定することを特徴とする請求項２記載の空気調和機の係合装置。
【発明の詳細な説明】
【０００１】
【発明の属する技術分野】
この発明は、空気調和機の係合装置に係わり、特にコストの低減を図るものである。
【０００２】
【従来の技術】
近年、空気調和機はその普及にともない施工性の向上やコスト低減が求められている。  従来、この種の係合装置は、図１４，図１５，図１６に示すような構成が一般的であった。以下、その構成について図を参照しながら説明する。 図に示すように、空気調和機本体１は本体主板１６と２枚の本体側板１７という３部品で構成され、スポット溶接やネジ止めにより箱体に形成される。本体側板１７には折り曲げ部１８が設けられ、本体主板１６と折り曲げ部１８が重なることによりその部位の強度を向上せしめる。係合部材３は中央部に長穴４を形成し、この長穴４と外周部とを吊りボルト９の径より大なる寸法の切り欠き５で連通し、吊りボルト９に設けたナット１０でナット受け部６を挟み込み固定する。係合部材３には本体取付部８が設けられその両側に立ち上がり部１５を有したコの字形状に形成される。本体取付部８から本体側板１７に向かってネジ１１にてネジ止めするとともに、本体側板１７の折り曲げ部１８外側より係合部材３の立ち上がり部１５に向かってネジ止めする構成となっている。上記構成において、図１４にて係合部材３の長穴４にナット１０を取り付けた吊りボルト９を矢印Ａのように切り欠き５を介して挿入し、長穴４の部分においてナット１０に掛けることにより空気調和機本体を吊り下げることになる。
【０００３】
【発明が解決しようとする課題】
従来の空気調和機の係合装置は以上のように構成されているので、以下に説明する解決すべき問題点があった。第１に、空気調和機本体１を本体主板１６と２枚の本体側板１７の３部品で構成されるため、部品点数が多く材料費や加工費が増加するという問題があった。第２に、本体主板１６と本体側板１７の折り曲げ部１８の端面が吊りボルト９のナット１０のねじ込み作業する側に露出しているため、ナット１０のネジ込み作業時に作業性が悪いという問題があった。本発明の目的は部品点数減少によるコスト低減と作業部所付近の作業を妨げる部材除去による作業性の改善にある。
【０００４】
【課題を解決するための手段】
この発明に係わる空気調和機の係合装置は、空気調和機本体により折り重なり重複する面を形成し前記係合部材を保持する空調機据付面において係合部材を固定するように構成したものである。
【０００５】
また、空気調和機の係合部材には長穴を形成し、この長穴と外周部とを吊りボルトの径より大なる寸法の切り欠きで連通し、吊りボルトに設けたナットで固定するナット受け部を設けた係合部材を有す空気調和機において、空気調和機本体を一体に成形し、前記、係合部材を保持する本体側面に、他の側面より折り重なる折り曲げ面を形成させ、この重複する折り曲げ面に係合部材を固定するように構成したものである。
【０００６】
また、前記の一体に成形された空気調和機本体の係合部材を保持する本体側面に、他の側面より折り重なる折り曲げ面を本体側面の外側に重なるように形成させ、この重複する折り曲げ面に、係合部材を固定するように構成したものである。
【０００７】
また、前記の一体に成形された空気調和機本体の係合部材を保持する本体側面に、他の側面より折り重なる折り曲げ面を本体側面の内側に重なるように形成させ、この重複する折り曲げ面に、係合部材を固定するように構成したものである。
【０００８】
また、前記係合部材に長穴を設けこの長穴と外周部とをボルトの径より大なる寸法の切り欠きで連通し、吊りボルトに設けたナットで固定するナット受け部とこのナット受け部の端部に折り返し部を設けた係合部材において、空気調和機本体側に逆勝手に折り曲げられた本体取付部を有する構成にしたものである。
【０００９】
また、前記係合部材は一体に成形された空気調和機本体の係合部材を保持する本体側面に、他の側面より折り重なる折り曲げ面を本体側面に重なるように形成させ、この重複する折り曲げ面に、絞り加工を施したものである。
【００１０】
また、前記係合部材は、一体に成形された空気調和機本体の係合部材を保持する本体側面に、他の側面より折り重なる折り曲げ面を本体側面に重なるように形成させ、前記重複する折り曲げ面の一方の絞り加工面が他方の絞り加工面を包含するように大きしたものである。
【００１１】
また、前記係合部材は前記係合部材を空気調和機本体の内側から挿入し空気調和機本体に固定するものである。
【００１２】
また、前記係合部材は、前記係合部材を空気調和機本体の内側から挿入し空気調和機本体に固定し、その時に係合部材用穴の大きさを一方が他方を包含する以上としたものである。
【００１３】
また、前記係合部材は、係合部材を空気調和機本体の外側から空気調和機本体に固定するものである。
【００１４】
また、係合部材を空気調和機本体の外側から空気調和機本体に固定することにより、組立作業性が改善し、リサイクルする際の分解性が向上する。
【００１５】
【発明の実施の形態】
実施の形態１．
以下、この発明の空気調和機の係合装置の具体的な実施形態の一例について、図面を参照して詳細に説明する。  図１は、本発明の実施形態１における空気調和機の係合部材の一部を示す斜視図である。図２は、図１の全体を示す斜視図である。図３は、係合部材３の単品の斜視図を示す図である。図４は、図２のＢ−Ｂ断面を示す図である。図５は、空気調和機本体１単品の加工前の展開を示す図である。前記、従来の技術と同一部は同一番号をふり、説明は省略する。図１ないし図５に示すように、空気調和機本体１は天板と４面の側板とが一体に成形されており、係合部材３を保持する本体側面に他の側面より折り重なる折り曲げ面２を有している。この空気調和機本体１の本体側面と折り曲げ面２には、係合部材３をネジ１１でネジ止め固定するための、ネジ用穴１３と、係合部材３を空気調和機本体１の内側より挿入するための、係合部材用穴用穴１４が設けられる。一体に成形された空気調和機本体１は折り曲げ線部で折られ箱体形状にされる係合部材３の空気調和機本体１側に逆勝手に折り曲げられた本体取付部８を有し、空調機本体１の内側より係合部材用穴１４を介し挿入され本体側面と他の側面より折り重なる折り曲げ面２を、係合部材３の本体取付部８とネジ１１で挟み込むようにしてネジ止め固定される。
【００１６】
上記のような構成とすることにより係合部材が固定される空調機本体１の側面は折り曲げ面２により他の部分に比較して厚さが２倍となり、空気調和機の荷重による側面の変形を防止する。折り曲げ面２は空気調和機本体１を図５に示すように切り抜く事で今まで無駄となっていた部分を有効に利用している。
【００１７】
このように本発明の実施の形態１の構成によれば折り曲げ面２により荷重による変形を防止でき、
しかもその部材は今まで無駄になっていた部分を利用しているのでコストの上昇を招かずにゴミとなる部分を減らすことができる。
【００１８】
発明の実施の形態２．
以下、この発明の空気調和機の係合装置の具体的な実施の形態の他の例について、図面を参照して説明する。前記実施の形態１．と同一部は同一番号をふり、説明は省略する。図６は、実施形態２における空気調和機の係合装置の一部を示す斜視図であり、本実施の形態は、空気調和機本体１の折り曲げ面２を本体側面の内側に重なるようにしたものである。
【００１９】
上記のような構成とすることにより係合部材が固定される空調機本体１の側面は折り曲げ面２により他の部分に比較して厚さが２倍となり、空気調和機の荷重による側面の変形を防止し、また折り曲げ面２は空気調和機本体１を図５に示すように切り抜く事で無駄となっていた部分を有効に利用している。更に折り曲げ面を本体側面の内側に重ねて吊りボルト締め付け作業時に係合部材以外
に突起物がない状態となる。
【００２０】
このように本発明の実施の形態２の構成によれば折り曲げ面２により荷重による変形を防止でき、
その部材は今まで無駄になっていた部分を利用しているのでコストの上昇を招かずにゴミとなる部分を減らすことができる。更に折り曲げ面２を本体側面の内側に重ねて吊りボルト締め付け作業時に係合部材以外に突起物がなく作業性が改善される。
【００２１】
発明の実施の形態３．
以下、この発明の空気調和機の係合部材の具体的な実施の形態の他の例について、図面を参照して説明する。前記実施の形態１．ないし実施の形態２．と同一部は同一番号をふり、説明は省略する。図７は、実施形態３における空気調和機の係合装置の一部を示す斜視図であり、図８は、図７のＣ−Ｃ断面を表すものである。本実施の形態は、空気調和機本体１の折り曲げ面２と本体側面に絞り加工を施したものである。
【００２２】
上記のような構成とすることにより係合部材が固定される空調機本体１の側面は折り曲げ面２により他の部分に比較して厚さが２倍となり空調機の荷重による側面変形を防止する。更に、重複する折り曲げ面２に絞り加工を施したため係合部材３の固定面では荷重による側面変形の防止がなされる。また、折り曲げ面２は空気調和機本体１を切り抜く事で今まで無駄となっていた部分を有効に利用している。
【００２３】
このように本発明の実施の形態３の構成によれば折り曲げ面２により荷重による変形を防止でき、
更に、重複する折り曲げ面２に絞り加工を施したため側面変形の防止が一層促進される。しかも折り曲げ面２は今まで無駄になっていた部分を利用しているのでコストの上昇を招かずにゴミとなる部分を減らすことができる。
【００２４】
発明の実施の形態４．
以下、この発明の空気調和機の係合部材の具体的な実施の形態の他の例について、図面を参照して説明する。前記実施の形態１．ないし実施の形態３．と同一部は同一番号をふり、説明は省略する。図９は、実施形態４における空気調和機の係合装置の一部を示す斜視図であり、係合部材３を本体側面と他の側面より折り重なる折り曲げ面２に外側よりネジ１１にてネジ止めしたものである。本体側面１と折り曲げ面２を外側よりネジ止めし締結したので、リサイクルする際の本体側面１と折り曲げ面２とネジとを分離する場合に、分解性に寄与し、リサイクル性が向上する。
【００２５】
上記のような構成とすることにより係合部材が固定される空調機本体１の側面は折り曲げ面２により他の部分に比較して厚さが２倍となり、空気調和機の荷重による側面の変形を防止する。折り曲げ面２は空気調和機本体１を図５に示すように切り抜く事で今まで無駄となっていた部分を有効に利用している。
【００２６】
このように本発明の実施の形態４の構成によれば折り曲げ面２により荷重による変形を防止でき、
しかもその部材は今まで無駄になっていた部分を利用しているのでコストの上昇を招かずにゴミとなる部分を減らすことができる。
【００２７】
発明の実施の形態５．
図１０において壁掛け形の空気調和機の据付例を示しており、前記係合部材３に相当する空調機固定分材はボルトにて壁に締結固定してある。前記実施の形態１．ないし実施の形態４．と同一部は同一番号をふり、説明は省略する。空調機固定分材は空気調和機本体１の左右側面から折り曲げた側板と他の側面である上下側面から折り曲げた側板が折り重なった面において空気調和機本体１を保持する、即ち空気調和機据付面において折り重なる折り曲げ面２のにおいてボルト９によって、空気調和機本体１は折り曲げ面２を通してネジ止め固定される。これにより、空気調和機本体１は壁に固定される。
【００２８】
上記のような構成とすることにより係合部材が固定される空調機本体１の側面は折り曲げ面２により他の部分に比較して厚さが２倍となり空調機の荷重による側面変形を防止する。更に、重複する折り曲げ面２に絞り加工を施したため係合部材３の固定面では荷重による側面変形の防止がなされる。また、折り曲げ面２は空気調和機本体１を切り抜く事で今まで無駄となっていた部分を有効に利用している。
【００２９】
このように本発明の実施の形態５の構成によれば折り曲げ面２により荷重による変形を防止でき、
更に、重複する折り曲げ面２に絞り加工を施したため側面変形の防止が一層促進される。しかもその部材は今まで無駄になっていた部分を利用しているのでコストの上昇を招かずにゴミとなる部分を減らすことができる。
【００３０】
上記のような構成とすることにより係合部材が固定される空調機本体１の側面は同面内での折り曲げにより他の部分に比較して厚さが２倍となり、空気調和機の荷重による取付面の変形を防止する。折り曲げされた面は空気調和機本体１についてボルト９で固定する僅かな面積のみ重なり部を形成すればよく従来とコスト上でほとんど変化しない。
【００３１】
このように本発明の実施の形態５の構成によれば折り曲げ面により荷重による変形を防止でき、
しかもその部材は今まで切り取り捨てられて無駄になっていた部分を利用しているのでコストの上昇を招かずにゴミとなる部分を減らすことができる。
【００３２】
発明の実施の形態６．
前記実施の形態１での図５に示す空気調和機本体１単品の加工前の展開を示す図に対して、折り曲げ線で加工し組み立てた後の重なり合う係合部材用穴１４の双方の寸法を異ならせた例である。前記実施の形態１．ないし実施の形態５．と同一部は同一番号をふり、説明は省略する。図１２は図１１の本体１の加工前の展開図からこの空気調和機本体１を組み立てて後の空気調和機本体１の側面を示しており、係合部材用穴１４の双方が折り曲げ加工位置の寸法誤差によっても係合部材３を空気調和機本体１の側面の内側面へ支障なく装着がなされる。
【００３３】
上記のような構成とすることにより係合部材３が固定される空調機本体１の側面は折り曲げ面２により他の部分に比較して厚さが２倍となり空調機の荷重による側面変形を防止する。また係合部材用穴１４同志は大きさを異ならせ折り曲げ線での加工時の位置精度が低下しても係合部材３が係合部材用穴１４を通過し組み付けられる。
【００３４】
このように本発明の実施の形態６の構成によれば折り曲げ面２により荷重による変形を防止できる。しかもその部材は今まで無駄になっていた部分を利用しているのでコストの上昇を招かずにゴミとなる部分を減らすことができ、また係合部材用穴１４同志の位置寸法の精度に余裕が生まれ組み立て加工費を低減する。
【００３５】
発明の実施の形態７．
発明実施の形態３による図７のＣ−Ｃ断面を表す図に対し、図１３の本体１２の絞り加工面１２は図の左側に示す。前記実施の形態１．ないし実施の形態６．と同一部は同一番号をふり、説明は省略する。一方の絞り加工凸面が右側に示す他方の絞り加工凹面と曲率が異なるため空気調和機本体１を組み立て時点に、絞り加工１２の双方が折り曲げ加工位置の寸法誤差によっても組み立てが可能となる。
【００３６】
上記のような構成とすることにより係合部材が固定される空調機本体１の側面は折り曲げ面２により他の部分に比較して厚さが２倍となり空調機の荷重による側面変形を防止する。更に、重複する折り曲げ面２に絞り加工を施したため係合部材３の固定面では荷重による側面変形の防止がなされる。また、折り曲げ面２は空気調和機本体１を切り抜く事で今まで無駄となっていた部分を有効に利用している。絞り加工１２同志は大きさを異ならせ折り曲げ線での加工時の位置精度が低下しても空気調和機本体１と折り曲げ面２の両面が組付けられる。
【００３７】
このように本発明の実施の形態７の構成によれば折り曲げ面２により荷重による変形を防止でき、
更に、重複する折り曲げ面２に絞り加工を施したため側面変形の防止が一層促進される。しかも折り曲げ面２の部材は今まで無駄になっていた部分を利用しているのでコストの上昇を招かずにゴミとなる部分を減らすことができる。
【００３８】
【発明の効果】
以上のように、この発明による空気調和機は、空気調和機本体を一体に成形し、空気調和機本体により折り重なり重複する面を形成し前記係合部材を保持する空調機据付面において係合部材を固定するように構成し、ボルト部品点数が少なく抑えられ、コスト低減が図れる。更にこの重複する折り曲げ面で空気調和機本体に係合部材を強固に固定することが可能となる。また、空気調和機本体の吊りボルトのナット締め付け作業付近には作業を妨げる突起物が無いため作業性が向上する。
【００３９】
また、空気調和機の係合部材は、空気調和機本体を一体に成形し、係合部材を保持する本体側面に、他の側面より折り重なる折り曲げ面を形成させ、この重複する折り曲げ面に係合部材を固定するように構成にしたので、部品点数が少なく抑えられ、コスト低減が図れる。更に空気調和機本体を強固に固定することが可能で、空気調和機を安定して吊り下げることが出来る。また、空気調和機本体の吊りボルトのナット締め付け作業付近には作業を妨げる突起物が無いため、作業性が向上する。
【００４０】
また、一体に成形された空気調和機本体の係合部材を保持する本体側面に、他の側面より折り重なる折り曲げ面を本体側面の外側に重なるように形成させ、この重複する折り曲げ面に、係合部材を固定するように構成したので、空気調和機本体の内側に係合部材の出っ張りのみで平面化出来るため、内蔵される部品の形状が簡略化出来る。
【００４１】
また、一体に成形された空気調和機本体の係合部材を保持する本体側面に、他の側面より折り重なる折り曲げ面を本体側面の内側に重なるように形成させ、この重複する折り曲げ面に、係合部材を固定するように構成したので、吊りボルトのナット締め付け作業付近には係合部材以外の作業を妨げる突起物がないため、作業性が向上する。
【００４２】
また、中央部に長穴を設け、この長穴と外周部とを吊りボルトの径より大なる寸法の切り欠きで連通し吊りボルトに設けたナットで固定するナット受け部とこのナット受け部の端部に折り返し部を設けた係合部材において、空気調和機本体側に逆勝手に折り曲げられた本体取付部を有する構成にしたので、空気調和機の荷重が係合部材にのしかかった際に、本体取付部の各々が踏ん張るため吊り金具を強固に固定することが可能で、空気調和機を安定して吊り下げることが出来る。
【００４３】
また、一体に成形された空気調和機本体の係合部材を保持する本体側面に、他の側面より折り重なる折り曲げ面を本体側面に重なるように形成させ、この重複する折り曲げ面に、絞り加工を施した構成にしたので、係合部材の固定面をより一層強固にすることが出来る。
【００４４】
また、一体に成形された空気調和機本体を係合部材を保持する本体側面に他の側面より折り重ならせ、この重複する折り曲げ面に、絞り加工を施した構成にしたので、係合部材の固定面をより一層強固にすることが出来る。更に前記重複する折り曲げ面の一方の絞り加工面凸側が他方の絞り加工面より曲面を大きしたものであり相互の折り曲げ加工による組み立て時の位置ずれに対しても余裕が増し生産性が向上する。
【００４５】
また、係合部材を空気調和機本体の内側から挿入し空気調和機本体に固定することにより、万一、係合部材の固定ネジが外れた場合でも、逆勝手に折り曲げられた本体取付部が空気調和機本体に引っかかるため、最悪の空気調和機本体の落下は阻止できる。
【００４６】
また、係合部材を空気調和機本体の内側から挿入し空気調和機本体に固定することにより、万一、吊り金具の固定ネジが外れた場合でも、逆勝手に折り曲げられた本体取付部が空気調和機本体に引っかかるため、最悪の空気調和機本体の落下は阻止できる。また、係合部材を空気調和機本体の内側から挿入するための係合部材用穴の大きさを一方が他方を覆う以上としたものであるため、相互の折り曲げ加工による組み立て時の係合部材用穴の位置ずれに対しても余裕が増し生産性が向上する。
【００４７】
また、係合部材を空気調和機本体の外側から空気調和機本体に固定することにより、組立作業性が改善する。
【００４８】
【図面の簡単な説明】
【図１】この発明の実施の形態１による空気調和機の係合部材の一部を示す斜視図。
【図２】この発明の実施の形態１による図１の全体を示す斜視図。
【図３】この発明の実施の形態１による係合部材の単品の斜視図を示す図。
【図４】この発明の実施の形態１による図２のＢ−Ｂ断面を示す図。
【図５】この発明の実施の形態１による本体１単品の加工前の展開を示す図。
【図６】この発明よるの実施の形態２による空気調和機の係合部材の一部を示す斜視図。
【図７】この発明の実施の形態３による空気調和機の係合部材の一部を示す斜視図。
【図８】この発明の実施の形態３による図７のＣ−Ｃ断面を表す図。
【図９】この発明の実施の形態４による空気調和機の係合部材の一部を示す斜視図。
【図１０】この発明の実施の形態５による空気調和機の係合部材の壁への取付を示す斜視図。
【図１１】この発明の実施の形態６であり、前記実施の形態１での空気調和機本体１単品の加工前の展開を示す図に対して係合部材用穴の寸法が異なる例を示す斜視図。
【図１２】この発明の実施の形態６による図１１の組み立てを表す図。
【図１３】この発明の実施の形態７であり、前記実施の形態３での絞り加工の曲面寸法が異なる例を示す断面図。
【図１４】従来の空気調和機の係合部材の一部を示す斜視図。
【図１５】従来の空気調和機本体の分解斜視図。
【図１６】従来の図１１の全体とナット締め作業を示す斜視図。
【符号の説明】
１空気調和機本体、２折り曲げ面、３係合部材、４長穴、５切り欠き、６ナット受け部、７折り返し部、８本体取付部、９吊りボルト、１０ナット、１１ネジ、１２絞り加工、１３ネジ用穴、１４係合部材用穴、１５立ち上がり部、１６本体主板、１７本体側板、１８折り曲げ部。
【図１】
0004211162.tif 000002
【図２】
0004211162.tif 000003
【図３】
0004211162.tif 000004
【図４】
0004211162.tif 000005
【図５】
0004211162.tif 000006
【図６】
0004211162.tif 000007
【図７】
0004211162.tif 000008
【図８】
0004211162.tif 000009
【図９】
0004211162.tif 000010
【図１０】
0004211162.tif 000011
【図１１】
0004211162.tif 000012
【図１２】
0004211162.tif 000013
【図１３】
0004211162.tif 000014
【図１４】
0004211162.tif 000015
【図１５】
0004211162.tif 000016
【図１６】
0004211162.tif 000017